(57)【要約】  携帯端末を用いたリモコン操作の操作性を向上させることを課題とする。携帯端末（１３）は、操作対象（１１）に対応付けられた近接無線通信機（１１０）と近接無線通信を行い、操作対象を識別するための識別情報を取得する近接無線通信手段（１３０）と、近接無線通信手段（１３０）によって取得される識別情報と、近接無線通信手段（１３０）による近接無線通信が確立又は開始されると取得される、操作対象を操作するための設定情報とを対応付けて記憶する記憶手段（１３２）と、近接無線通信（１３０）よりも通信可能距離の長い中距離無線通信により操作対象の制御を行う中距離無線通信手段（１３１）と、を備える。近接無線通信手段（１３０）が操作対象を識別するための識別情報を取得すると、中距離無線通信手段（１３１）は、取得された識別情報に対応付けられた記憶手段（１３２）の設定情報を用いて操作対象の制御を行う。
2014002323.tif 000002
【特許請求の範囲】
【請求項１】
操作対象に対応付けられた近接無線通信機と近接無線通信を行い、前記操作対象を識別するための識別情報を取得する近接無線通信手段と、
前記近接無線通信手段によって取得される前記識別情報と、前記近接無線通信手段による前記近接無線通信が確立又は開始されると取得される、前記操作対象を操作するための設定情報とを対応付けて記憶する記憶手段と、
前記近接無線通信よりも通信可能距離の長い中距離無線通信により前記操作対象の制御を行う中距離無線通信手段と、を備え、
前記記憶手段に前記識別情報及び前記設定情報が記憶された後、前記近接無線通信手段が前記操作対象を識別するための前記識別情報を取得すると、前記中距離無線通信手段は、取得された前記識別情報に対応付けられた前記記憶手段の前記設定情報を用いて前記操作対象を制御する携帯端末。
【請求項２】
複数の異なる前記操作対象は、それぞれ異なる前記設定情報を用いて制御され、
前記近接無線通信機は、前記操作対象毎に設けられ、
前記携帯端末は、複数の前記操作対象に対応付けられたぞれぞれの前記近接無線通信機と前記近接無線通信を行って、複数の前記操作対象を操作するための前記設定情報を取得して前記識別情報と対応付けて前記記憶手段に記憶し、
前記記憶手段に記憶された複数の前記設定情報を用いて、複数の前記操作対象を制御する、請求項１に記載の携帯端末。
【請求項３】
前記設定情報は、前記識別情報と共に前記近接無線通信手段により取得される、請求項１又は２に記載の携帯端末。
【請求項４】
前記設定情報は、前記近接無線通信手段による前記近接無線通信が確立又は開始されると、前記中距離無線通信手段により、前記操作端末に設けられた前記近接無線中距離無線通信を行う中距離無線通信機から取得される、請求項１又は２に記載の携帯端末。
【請求項５】
広域通信網の基地局と前記中距離無線通信の通信可能距離よりも長い長距離無線通信を行う長距離無線通信手段を更に備え、
長距離無線通信手段は、前記近接無線通信手段によって取得された前記識別情報に基づいて前記設定情報を外部サーバから取得する、請求項１又は２に記載の携帯端末。
【請求項６】
前記近接無線通信機は、前記操作対象に設置され、若しくは、前記操作対象に近接して設置され、
前記近接無線通信手段は、前記近接無線通信機と前記近接無線通信を行った際の前記携帯端末の位置情報を、前記識別情報として取得する、請求項１乃至５のうちいずれか１項に記載の携帯端末。
【請求項７】
前記識別情報は、前記操作対象の外形の特徴量に関する情報を含む、請求項１乃至６のうちいずれか１項に記載の携帯端末。
【請求項８】
前記識別情報は、前記操作対象に固有に設定された識別コードを含む、請求項１乃至７のうちいずれか１項に記載の携帯端末。
【請求項９】
前記設定情報は、前記操作対象毎のユーザインタフェース環境に前記携帯端末を設定するためのアプリケーションを起動する情報を含む、請求項１乃至８のうちいずれか１項に記載の携帯端末。
【請求項１０】
前記設定情報は、前記操作対象のリモコンコードを含む、請求項１乃至９のうちいずれか１項に記載の携帯端末。
【請求項１１】
操作対象に対応付けられた近接無線通信機と、携帯端末とを備えた電子機器制御システムであって、
前記携帯端末は、
操作対象に対応付けられた近接無線通信機と近接無線通信を行い、前記操作対象を識別するための識別情報を取得する近接無線通信手段と、
前記近接無線通信手段によって取得される前記識別情報と、前記近接無線通信手段による前記近接無線通信が確立又は開始されると取得される、前記操作対象を操作するための設定情報とを対応付けて記憶する記憶手段と、
前記記憶手段に前記識別情報及び前記設定情報が記憶された後、前記近接無線通信手段により前記操作対象を識別するための前記識別情報を取得すると、前記記憶手段に記憶された前記識別情報に対応付けられた前記設定情報を用いて、前記近接無線通信よりも通信可能距離の長い中距離無線通信により前記操作対象の制御を行う中距離無線通信手段と、を備える電子機器制御システム。
【請求項１２】
前記近接無線通信機は、前記操作端末の画像が示されたカードに設置されている、請求項１１に記載の電子機器制御システム。
【請求項１３】
携帯端末に、
操作対象に対応付けられた近接無線通信機と近接無線通信を行わせ、前記操作対象を識別するための識別情報を取得させ、
前記近接無線通信によって取得される前記識別情報と、前記近接無線通信手段による前記近接無線通信が確立又は開始されると取得される、前記操作対象を操作するための設定情報とを対応付けて記憶させ、
前記携帯端末が前記近接無線通信により前記操作対象を識別するための前記識別情報を取得すると、前記携帯端末に記憶された前記識別情報に対応付けられた前記設定情報を用いて、前記携帯端末に前記近接無線通信よりも通信可能距離の長い中距離無線通信により前記操作対象の制御を行わせる、電子機器制御方法。
【請求項１４】
複数の異なる前記操作対象は、それぞれ異なる前記設定情報を用いて制御され、
前記近接無線通信機は、前記操作対象毎に設けられ、
前記携帯端末に、複数の前記操作対象に対応付けられたぞれぞれの前記近接無線通信機と前記近接無線通信を行わせて、複数の前記操作対象を操作するための前記設定情報を取得して前記識別情報と対応付けて記憶させ、
前記携帯端末に記憶された複数の前記設定情報を用いて、複数の前記操作対象を制御する、請求項１３に記載の電子機器制御方法。
【請求項１５】
前記設定情報は、前記識別情報と共に前記近接無線通信により取得される、請求項１３又は１４に記載の電子機器制御方法。
【請求項１６】
前記設定情報は、前記近接無線通信が確立又は開始されると、前記操作端末に設けられた前記中距離無線通信を行う中距離無線通信機から前記中距離無線通信により取得される、請求項１３又は１４に記載の電子機器制御方法。
【請求項１７】
携帯端末に、前記近接無線通信によって取得された前記識別情報に基づいて、前記設定情報を、前記中距離無線通信よりも通信可能距離の長い長距離無線通信によって外部サーバから取得させる、請求項１３又は１４に記載の電子機器制御方法。
【請求項１８】
前記近接無線通信機は、前記操作対象に設置され、若しくは、前記操作対象に近接して設置され、
前記近接無線通信機と前記近接無線通信を行った際の前記携帯端末の位置情報を、前記識別情報として取得する、請求項１３乃至１７のうちいずれか１項に記載の電子機器制御方法。
【請求項１９】
前記識別情報は、前記操作対象の外形の特徴量に関する情報を含む、請求項１３乃至１８のうちいずれか１項に記載の電子機器制御方法。
【請求項２０】
前記識別情報は、前記操作対象に固有に設定された識別コードを含む、請求項１３乃至１９のうちいずれか１項に記載の電子機器制御方法。
【請求項２１】
前記設定情報は、前記操作対象毎のユーザインタフェース環境に前記携帯端末を設定するためのアプリケーションを起動する情報を含む、請求項１３乃至２０のうちいずれか１項に記載の電子機器制御方法。
【請求項２２】
前記設定情報は、前記操作対象のリモコンコードを含む、請求項１３乃至２１のうちいずれか１項に記載の電子機器制御方法。
【請求項２３】
携帯端末のコンピュータに、
操作対象に対応付けられた近接無線通信機と近接無線通信を行わせ、前記操作対象を識別するための識別情報を取得させ、
前記近接無線通信によって取得される前記識別情報と、前記近接無線通信が確立又は開始されると取得される、前記操作対象を操作するための設定情報とを対応付けて記憶させ、
前記携帯端末が前記近接無線通信により前記操作対象を識別するための前記識別情報を取得すると、前記携帯端末に記憶された前記識別情報に対応付けられた前記設定情報を用いて、前記携帯端末に前記近接無線通信よりも通信可能距離の長い中距離無線通信により前記操作対象の制御を行わせる処理を実行させるためのプログラムを格納した非一時的なコンピュータ可読媒体。
【発明の詳細な説明】
【技術分野】
【０００１】
本発明は、携帯端末、電子機器制御システム、電子機器制御方法、及びプログラムを格納した非一時的なコンピュータ可読媒体に関し、特に、複数の操作対象を操作可能な携帯端末、電子機器制御システム、電子機器制御方法、及びプログラムを格納した非一時的なコンピュータ可読媒体に関する。
【背景技術】
【０００２】
従来より、携帯端末を用いて複数の操作対象となる電子機器を操作する技術が知られている。【０００３】
特許文献１には、複数の家庭電化機器を、携帯通信端末を用いて制御する家電制御システムが開示されている。携帯電話端末は、セルラー方式の無線通信手段と、この無線通信手段とは別に設けられた近距離無線通信と、家庭用電気機器の記憶手段に記憶される遠隔操作用コンテンツを識別情報と共に登録する登録手段と、選択された遠隔操作用コンテンツを、対応する家庭電化機器の識別情報と共に近距離無線通信手段により家庭電化機器に送信する送信制御手段を有している。【０００４】
また、特許文献２には、携帯端末装置と非接触通信を行うＮＦＣ通信部とＢｌｕｅｔｏｏｔｈ（登録商標）通信部を備える複合機が開示されている。この複合機は、携帯端末装置がＮＦＣ通信部の通信範囲内に存在した場合に、Ｂｌｕｅｔｏｏｔｈ通信を確立するための通信設定情報と、複合機においてデータ処理する機能を示す機能ＩＤを非接触通信により、携帯端末装置から受信する。Ｂｌｕｅｔｏｏｔｈ通信部は、ＮＦＣ通信部によって受信した通信設定情報に基づいて携帯端末装置との通信を確立し、データを非接触通信で携帯端末装置から送受信し、携帯端末装置から受信された機能ＩＤに応じた機能でデータを処理する。
【先行技術文献】
【特許文献】
【０００５】
【特許文献１】特開２００３−３１９４７０号公報
【特許文献２】特開２００９−１３５８６５号公報
【発明の概要】
【発明が解決しようとする課題】
【０００６】
しかしながら、特許文献１に開示されたシステムでは、Ｂｌｕｅｔｈｏｏｔｈ（登録商標）やＩＥＥＥ８０２．１１による近距離無線通信によって、遠隔操作用コンテンツや識別情報を携帯端末が取得するよう構成されているため、携帯端末に複数の操作対象が近接して設置されている場合には、ユーザが意図しない機器と近距離無線通信を行う可能性がある。【０００７】
また、特許文献２に開示されてシステムでは、携帯端末から何らかのデータ処理を操作対象の複合機に命令する場合には、命令を行う度に、ＮＦＣ通信を行ってＢｌｕｅｔｈｏｏｔｈ（登録商標）通信を行うための通信設定情報を携帯端末装置が複合機から取得する必要がある。そのため、複合機に所望のデータ処理を実行させるまでに時間がかかるという問題がある。【０００８】
本発明は、このような問題点に鑑みてなされたものであり、携帯端末に複数の操作対象が近接して設置されている場合であっても、ユーザが意図しない操作対象と携帯端末の通信が開始されてしまうことを防止すると共に、操作対象を制御するまでに要する時間を短縮することができる携帯端末、電子機器制御システム、電子機器制御方法、及びプログラムを格納した非一時的なコンピュータ可読媒体を提供することを目的とする。
【課題を解決するための手段】
【０００９】
本発明に係る携帯端末の一態様は、操作対象に対応付けられた近接無線通信機と近接無線通信を行い、前記操作対象を識別するための識別情報を取得する近接無線通信手段と、前記近接無線通信手段によって取得される前記識別情報と、前記近接無線通信手段による前記近接無線通信が確立又は開始されると取得される、前記操作対象を操作するための設定情報とを対応付けて記憶する記憶手段と、前記近接無線通信よりも通信可能距離の長い中距離無線通信により前記操作対象の制御を行う中距離無線通信手段と、を備える。前記記憶手段に前記識別情報及び前記設定情報が記憶された後、前記近接無線通信手段が前記操作対象を識別するための前記識別情報を取得すると、前記中距離無線通信手段は、取得された前記識別情報に対応付けられた前記記憶手段の前記設定情報を用いて前記操作対象を制御する。【００１０】
また、本発明に係る電子機器制御システムは、操作対象に対応付けられたＮＦＣ通信機と、携帯端末とを備えた電子機器制御システムであって、前記携帯端末は、操作対象に対応付けられた近接無線通信機と近接無線通信を行い、前記操作対象を識別するための識別情報を取得する近接無線通信手段と、前記近接無線通信手段によって取得される前記識別情報と、前記近接無線通信手段による前記近接無線通信が確立又は開始されると取得される、前記操作対象を操作するための設定情報とを対応付けて記憶する記憶手段と、前記記憶手段に前記識別情報及び前記設定情報が記憶された後、前記近接無線通信手段により前記操作対象を識別するための前記識別情報を取得すると、前記記憶手段に記憶された前記識別情報に対応付けられた前記設定情報を用いて、前記近接無線通信よりも通信可能距離の長い中距離無線通信により前記操作対象の制御を行う中距離無線通信手段と、を備える。【００１１】
また、本発明に係る電子機器制御方法は、携帯端末に、操作対象に対応付けられた近接無線通信機と近接無線通信を行わせ、前記操作対象を識別するための識別情報を取得させ、前記近接無線通信によって取得される前記識別情報と、前記近接無線通信手段による前記近接無線通信が確立又は開始されると取得される、前記操作対象を操作するための設定情報とを対応付けて記憶させ、前記携帯端末が前記近接無線通信により前記操作対象を識別するための前記識別情報を取得すると、前記携帯端末に記憶された前記識別情報に対応付けられた前記設定情報を用いて、前記携帯端末に前記近接無線通信よりも通信可能距離の長い中距離無線通信により前記操作対象の制御を行わせる。
【発明の効果】
【００１２】
本発明に係る携帯端末、電子機器制御システム、電子機器制御方法、及びプログラムを格納した非一時的なコンピュータ可読媒体は、携帯端末を用いた操作対象の操作性を向上させることができる。
【図面の簡単な説明】
【００１３】
【図１】本発明の実施の形態１に係る電子機器制御システムの全体構成を示す図である。
【図２】本発明の実施の形態１に係る電子機器制御システムの携帯端末の記憶部のデータを示す図である。
【図３】本発明の実施の形態１に係る電子機器制御システムの動作を示すフローチャートである。
【図４】本発明の実施の形態１に係る電子機器制御システムの動作を示すフローチャートである。
【図５】本発明の実施の形態１に係る電子機器制御システムの適用例を示す図である。
【図６】本発明の実施の形態１に係る電子機器制御システムの適用例を示す図である。
【図７】本発明の実施の形態１に係る電子機器制御システムの適用例を示す図である。
【図８】本発明の実施の形態２に係る電子機器制御システムの携帯端末の記憶部を示す図である。
【図９】本発明の実施の形態２に係る電子機器制御システムの構成を示す図である。
【図１０】本発明の実施の形態３に係る電子機器制御システムの構成を示す図である。
【図１１】本発明の実施の形態４に係る電子機器制御システムの構成を示す図である。
【図１２】本発明の実施の形態４に係る電子機器制御システムの構成を示す図である。
【図１３】本発明の実施の形態５に係る電子機器制御システムの構成を示す図である。
【発明を実施するための形態】
【００１４】
実施の形態１．
以下、添付した図面を参照し、本発明の最良な実施の形態について説明する。図１は、本発明の実施の形態１に係る電子機器制御システムの全体構成を示す図である。この電子機器制御システムは、操作対象１１及び携帯端末１３を備えている。操作対象１１は、携帯端末１３によりリモコン操作される電子機器である。携帯端末１３は、複数の操作対象１１を一括して操作できるリモコンとして機能するよう構成されている。操作対象１１は、例えば、テレビ、エアコン、電子レンジ、洗濯機といった家電や、パソコンやプリンタなどの様々な電子機器として構成することができる。また、携帯端末１３は、スマートフォン、タブレット端末、スレートＰＣやＰＤＡ等の通信機能を備えた携帯可能な電子機器によって構成することができる。
【００１５】
操作対象１１は、ＮＦＣ通信部１１０、中距離無線通信部１１１、及び記憶部１１２を備えている。ＮＦＣ通信部１１０は、携帯端末１３に設けられたＮＦＣ通信部１３０とＮＦＣ（Ｎｅａｒ  Ｆｉｅｌｄ  Ｃｏｍｍｕｎｉｃａｔｉｏｎ）通信を行う。同様に、中距離無線通信部１１１は、携帯端末１３に設けられた中距離無線通信部１３１と中距離無線通信を行う。
【００１６】
ここで、本説明における「ＮＦＣ通信」とは、非接触型の近接無線通信であり、Ｂｌｕｅｔｏｏｔｈ（登録商標）や、Ｗｉｆｉ、赤外線通信よりも通信可能距離の短い通信を示す。非接触型の通信では、ＮＦＣ通信機側にコイルが内蔵されており、携帯端末のＮＦＣ通信部１１０（リーダ）から発生している磁界にＮＦＣ通信機が近接すると、ＮＦＣ通信機からデータが送信される仕組みとなっている。なお、ＮＦＣ通信の通信可能距離は、数ｍｍ〜数ｃｍ程度であることが好ましい。例えば、「ＮＦＣ通信」として、ＲＦＩＤ規格等の非接触通信を用いることができる。
【００１７】
また、本説明において「中距離無線通信」は、ＮＦＣ通信よりも通信可能距離が長い通信を示す。具体的には、「中距離無線通信」は、Ｂｌｕｅｔｏｏｔｈ（登録商標）やＷｉｆｉ（Ｗｉｒｅｌｅｓｓ  Ｆｉｄｅｌｉｔｙ）、赤外線通信によって構成することができる。中距離無線通信部１１１の通信可能な距離は、数十ｃｍ〜数ｍ程度であることが好ましい。
【００１８】
記憶部１１２には、操作対象１１の「識別情報」と、操作対象１１を携帯端末１３からリモコン操作（遠隔操作）するために必要な情報である「設定情報」が記憶されている。具体的には、「識別情報」は、操作対象１１毎に付与された文字や数字によって構成される操作対象に個別に付与された識別コードによって構成することができる。なお、識別コードは、携帯端末１３が操作対象１１を一意に認識することができれば、どのようなコードであってもよい。例えば、操作対象１１の製造時に操作対象１１に割り当てられたコードを識別情報として用いてもよく、また、携帯端末１３がそれぞれの操作対象１１に対して設定した個別のコードを、識別情報として用いてもよい。「設定情報」は、例えば、操作対象１１を制御する際に用いられるデータフォーマット等を規定するコードであるリモコンコードを含んでいる。
【００１９】
携帯端末１３は、操作対象１１と同様に、ＮＦＣ通信部１３０、中距離無線通信部１３１及び記憶部１３２を備えている。ＮＦＣ通信部１３０は、操作対象１１のＮＦＣ通信部１１０とＮＦＣ通信を行う。また、中距離無線通信部１３１は、操作対象１１の中距離無線通信部１１１と中距離無線通信を行う。なお、それぞれの通信部については、操作対象１１の対応する通信部と略同様であるため、その説明を省略する。
【００２０】
携帯端末１３の記憶部１３２には、操作対象１１の識別情報と設定情報が対応付けられて記憶されている。図２は、携帯端末１３の記憶部１３２のデータを示す図である。記憶部１３２には、複数の操作対象１１から取得された識別情報と設定情報とが対応付けて記憶されている。なお、図２では、操作対象１１の識別情報として、操作対象１１に設定された識別コードが用いられ、設定情報として操作対象１１に設定されたリモコンコードが用いられている。
【００２１】
なお、本説明において「〜部」と示される各要素は、ハードウェアとソフトウェアが協働することにより実現される。具体的には、各要素は、操作対象１１や携帯端末１３に設けられた図示しないＣＰＵ（Ｃｅｎｔｒａｌ  Ｐｒｏｃｅｓｓｉｎｇ  Ｕｎｉｔ）が所定のプログラムを実行し、ハードウェアを制御する等して実現される。なお、各要素はハードウェアによって実現されていても良い。
【００２２】
次に、このように構成された電子機器制御システムの動作について説明する。上記のように構成された携帯端末１３では、ユーザが携帯端末１３を操作対象１１に近接させると、携帯端末１３のＮＦＣ通信部１３０と操作対象１１のＮＦＣ通信部１１０によりＮＦＣ通信が開始する。この操作対象１１と携帯端末１３間のＮＦＣ通信は、本実施の形態１において、以下の２つの動作のトリガとして機能する。
【００２３】
具体的には、（１）ＮＦＣ通信は、携帯端末１３が操作対象１１を操作するための設定情報を取得する動作のトリガとして機能する。換言すれば、ＮＦＣ通信部１３０とＮＦＣ通信部１１０との間の通信が開始されると、操作対象１１の設定情報が、携帯端末１３に登録される。また、（２）ＮＦＣ通信は、携帯端末１３が設定情報を取得した後に、操作対象１１に応じた設定情報を呼び出すためのトリガとして機能する。換言すれば、ＮＦＣ通信部１３０とＮＦＣ通信部１１０との通信が開始されると、操作対象１１の設定情報が呼び出される。そのため、以下の動作の説明にあたっては、（１）設定情報を取得する動作と、（２）取得した設定情報を用いて操作対象１１をリモコン操作する動作を、それぞれ分けて説明する。
【００２４】
なお、（１）において、操作対象１１の設定情報が携帯端末１３に登録されるタイミングは、ＮＦＣ通信が確立したときであってもよい。（２）の場合も同様に、操作対象１１の設定情報が呼び出されるタイミングは、ＮＦＣ通信が確立したときであってもよい。
【００２５】
図３は、本発明の電子機器制御システムにおいて、（１）携帯端末１３が操作対象１１から設定情報を取得する際の動作を示すフローチャートである。初期状態では、携帯端末１３には、操作対象１１の設定情報が保存されておらず、ユーザは、携帯端末１３を用いて操作対象１１をリモコン操作することはできない。この状態では、はじめに、ユーザが携帯端末１３を操作対象１１にタッチ（近接させる）する。ここで「タッチ」とは、携帯端末１３を操作対象１１に接触させるか、若しくは、接触させる程度に近接させることを示す。これにより、携帯端末１３のＮＦＣ通信部１３０と、操作対象１１のＮＦＣ通信部１１０がＮＦＣ通信を開始（確立）する。このＮＦＣ通信では、操作対象１１のＮＦＣ通信部１１０から、携帯端末１３のＮＦＣ通信部１３０へ、操作対象１１の識別情報と設定情報が送信される（ステップＳ１）。換言すれば、操作対象１１と携帯端末１３とのＮＦＣ通信をトリガとして、操作対象１１のＮＦＣ通信部１１０から、携帯端末１３のＮＦＣ通信部１３０に識別情報と設定情報が送信される。
【００２６】
携帯端末１３側では、ＮＦＣ通信を行ったかどうかの判断が、ＮＦＣ通信が検知されるまで繰り返されている（ステップＳ２）。そして、ステップＳ２で、携帯端末１３と操作対象１１がＮＦＣ通信を行ったことが検知されると（ステップＳ２においてＹＥＳ）、操作対象１１からＮＦＣ通信により取得した識別情報及び設定情報を対応付けて携帯端末１３の記憶部１３２に格納する。これにより、携帯端末１３に操作対象１１の識別情報と設定情報が登録される（ステップＳ３）。このように、本実施の形態１では、ＮＦＣ通信をトリガとして、携帯端末１３に、操作対象１１の設定情報が登録される。
【００２７】
なお、他の操作対象１１についても同様に、携帯端末１３は、ユーザが携帯端末１３を操作対象１１に対応付けられたＮＦＣ通信部１１０に近接させる毎に、識別情報と携帯端末１３の設定情報を取得する。そして取得した識別情報と設定情報を対応付けて記憶部１３２に保存していく。これにより、携帯端末１３には、ユーザが選択した操作対象１１に相当する識別情報と設定情報が取得される。
【００２８】
なお、ＮＦＣ通信を行った時刻を示す情報を、記憶部１３２に格納しても良い。例えば、最後に携帯端末１３と操作対象１１とがＮＦＣ通信を行った時刻を示す情報を記憶する記憶部１３２に記憶することにより、ＮＦＣ通信を最後に行ってから所定期間経過した場合には、識別情報と設定情報を記憶部１３２から削除し、記憶部１３２に空き領域を確保するように構成してもよい。
【００２９】
図４は、携帯端末１３が設定情報を取得した後に、取得した設定情報を用いて操作対象をリモコン操作する際の動作を示すフローチャートである。はじめに、ユーザがリモコン操作を行いたい操作対象１１に、携帯端末１３をタッチ（近接させる）する。これにより、携帯端末１３のＮＦＣ通信部１３０と操作対象１１のＮＦＣ通信部１１０がＮＦＣ通信を開始する。このＮＦＣ通信において、操作対象１１のＮＦＣ通信部１１０から、操作対象１１の識別情報と設定情報が送信される。なお、図４の例では、ＮＦＣ通信により、識別情報と設定情報が両方とも携帯端末１３に送信される構成となっているが、識別情報のみを操作対象から携帯端末１３に送信するよう構成してもよい。携帯端末１３側では、ＮＦＣ通信を行ったかどうかの判断が、ＮＦＣ通信が検知されるまで繰り返されている（ステップＳ２）。
【００３０】
ステップＳ２において、ＮＦＣ通信があったことが検知されると（ＹＥＳ）、携帯端末１３は、ＮＦＣ通信によって取得した識別情報が記憶部１３２に存在するか検索し、識別情報が一致すれば、その識別情報に対応付けられた設定情報を呼び出す。ここで、ユーザは、操作対象１１から離隔することにより、携帯端末１３を操作対象１１から遠ざけるとする。その後、携帯端末１３は、ユーザの操作に応じて、読みだした設定情報を用いて、ＮＦＣ通信よりも通信可能距離の長い中距離無線通信により、操作対象１１のリモコン操作を行う。
【００３１】
なお、上述のように、携帯端末１３の記憶部１３２には、複数の操作対象１１の識別情報と設定情報が記憶されている。そのため、ユーザが携帯端末１３を操作対象１１のＮＦＣ通信部１１０にタッチさせる毎に、ＮＦＣ通信を行った操作対象１１の設定情報を複数の設定情報の中から選択して呼び出す。これにより、携帯端末１３を、複数の操作対象１１のリモコン（ユニバーサルリモコン）として機能させることができる。
【００３２】
図５は、本実施の形態１に係るシステムを、テレビの制御システムとして適用し、携帯端末１３で、操作対象１１であるテレビのリモコン操作をする例を示している。はじめに、ユーザは、図６に示すように、操作対象１１であるテレビに、携帯端末１３を近接させる。これにより、携帯端末１３と操作対象１１がＮＦＣ通信を開始する。ＮＦＣ通信により、操作対象１１から携帯端末１３に対し、識別情報と設定情報が送信される（図３のステップＳ１）。携帯端末１３では、受信した識別情報と設定情報を対応付けて記憶部１３２に保存する（図３のステップＳ３）。
【００３３】
次に、設定情報の登録後に、図７に示すように、ユーザが操作対象１１であるテレビに携帯端末１３を近接させる。これにより、携帯端末１３と操作対象１１がＮＦＣ通信を開始する。操作対象１１から、携帯端末１３に対し、識別情報と設定情報がＮＦＣ通信により送信される（図４のステップＳ１）。識別情報を受信した携帯端末１３は、記憶部１３２から識別情報に対応付けられた設定情報を呼び出す（図４のステップＳ３）。そして、その設定情報を用いて、中距離無線通信により操作対象１１の操作を行う（図４のステップＳ４）。なお、操作対象１１の設定情報としては、リモコンコード以外に、操作対象１１に応じた携帯端末１３のアプリケーションを起動する情報を含めることができる。例えば、図５のように、操作対象１１がテレビである場合には、設定情報としてチャンネルを選択する画面を表示するアプリケーションを呼び出す情報を記憶させておけば、図６に示すように、設定情報を呼び出す際にチャンネルを選択する画面を携帯端末１３に表示させることができる。
【００３４】
このように、本実施の形態１に係る電子機器制御システムによれば、ＮＦＣ通信があったことをトリガとして、操作対象１１から携帯端末１３が設定情報を取得する。ここで、ＮＦＣ通信は、通信可能な距離が数ｍｍ〜数ｃｍ程度に設定されている。そのため、複数の操作対象１１が、携帯端末１３に近接して設置されている状況であっても、通信可能距離の短いＮＦＣ通信をトリガとするため、ユーザが意図した操作対象１１を携帯端末１３が特定しやすく、誤って他の操作対象１１と通信してしまうという状況を回避しやすくなる。これにより、携帯端末１３を用いたリモコン操作の操作性を向上させることができる。
【００３５】
なお、上記の説明では、ＮＦＣ通信部１１０は、操作対象１１に設置されているものとして説明を行ったが、ＮＦＣ通信部１１０を通信タグとして構成し、操作対象１１自体には設置せず、操作対象１１に近接してこの通信タグを配置してもよい。この場合、近接した通信タグから、ＮＦＣ通信により、操作対象１１の識別情報と設定情報を取得することができる。
【００３６】
また、上記の説明では、携帯端末１３にＮＦＣ通信部１３０と中距離無線通信部１３１が設けられているとして説明したが、中距離無線通信よりも通信可能距離の長い長距離無線通信を行う長距離無線通信部（図示せず）を、更に備えるよう構成してもよい。この長距離無線通信部は、例えば、３Ｇ（International Mobile Telecommunication 2000規格の3rd Generation）といった広域無線通信の基地局と通信を行う通信部として構成することができる。
【００３７】
また、上記の説明では、ＮＦＣ通信により操作対象１１の識別情報と設定情報を取得するよう構成しているが、ＮＦＣ通信をトリガとして操作対象１１の設定情報を取得することができれば、設定情報はＮＦＣ通信以外により取得してもよい。例えば、ＮＦＣ通信を行ったことをトリガとして、操作対象１１の中距離無線通信部１１１と中距離無線通信を行うことにより、操作対象１１の設定情報を取得してもよい。また、操作対象１１とＮＦＣ通信を行ったことをトリガとして、ＮＦＣ通信によって取得された操作対象１１の識別情報に基づいて、インターネット通信網等を介して、外部のサーバから操作対象１１の設定情報を取得するよう構成してもよい。
【００３８】
実施の形態２．
次に、本発明の実施の形態２に係る電子機器制御システムについて説明する。実施の形態２では、操作対象１１の識別情報として、識別コードではなく、操作対象１１の外観に関する情報を用いている。図８に示すように、操作対象１１の記憶部１１２には、操作対象１１の識別情報と共に、操作対象１１の操作対象１１の外観に関する情報が対応付けられている。ここで、外観に関する情報とは、携帯端末１３のカメラで操作対象１１を撮影した際に取得される画像の特徴量や、操作対象１１の画像である。例えば、画像の特徴量としては、操作対象１１の外形の縦横比や、全体に占める色の割合、操作対象１１の画像データ等を用いることができる。この外形に関する情報は、設定情報と共に操作対象１１の記憶部１１２に記憶され、ＮＦＣ通信により携帯端末１３に送信される。
【００３９】
そして、ユーザが、操作対象１１をリモコンとして使用したい場合には、図９に示すように、操作対象１１の画像を携帯端末１３のカメラで撮影する。これにより、操作対象１１であるエアコンの画像が携帯端末１３で取得される。携帯端末１３は、携帯端末１３で取得された画像と、携帯端末１３に登録された操作対象１１の外観に関する情報を照合し、合致度の高い情報に対応付けられた設定情報を呼び出す。そして、呼び出された設定情報を用いて、ユーザの操作に従い、操作対象１１の制御を行う。
【００４０】
このように、実施の形態２に係るシステムでは、操作対象１１の外観に関する情報を、操作対象１１の識別情報として用いる。これにより、ユーザは、携帯端末１３のカメラで、操作したい電子機器を写すだけで、その操作対象１１に応じた設定情報を呼び出すことができる。そのため、実施の形態１のように、リモコン機能を呼び出す際に、操作対象１１に携帯端末１３をタッチさせることなく、比較的に操作対象１１と離れた位置からも、任意の操作対象１１を選択し、その操作対象１１に対応付けられた設定情報を呼び出すことができる。
【００４１】
実施の形態３．
次に、本発明の実施の形態３に係る電子機器制御システムについて説明する。図１０は、実施の形態３に係る電子機器制御システムの一部を示す図である。実施の形態３に係るシステムでは、図１０に示すように、それぞれの操作対象１１の絵が表示されたカードに、実施の形態１におけるタグ状のＮＦＣ通信部１１１（図示せず）が内蔵されている。設定情報の登録時には、ユーザは、任意のカードに携帯端末１３をタッチする。これにより、カードに設けられたＮＦＣ通信部１１１と携帯端末１３とがＮＦＣ通信を行い、カードから携帯端末１３に識別情報と設定情報が送信される。
【００４２】
また、リモコンとして携帯端末１３を使用する際には、ユーザは操作したい操作対象１１のカードに、携帯端末１３を近接させる。これにより、カードと携帯端末１３との間でＮＦＣ通信が確立し、カードのＮＦＣ通信部から携帯端末１３に対して、識別情報及び設定情報が送信される。携帯端末１３は、受信された識別情報に対応付けられた設定情報を記憶部１３２から呼び出して、この設定情報を用いて操作対象１１のリモコン操作を行う。
【００４３】
実施の形態４．
次に、本発明の実施の形態４に係る電子機器制御システムについて説明する。図１１は、本発明の実施の形態４に係る電子機器制御システムの一部を示す図である。実施の形態４では、操作対象１１の識別情報として位置情報を用いている。具体的には、設定情報の登録時に、ユーザが携帯端末１３を所望の操作対象１１に近接させると、操作対象１１と携帯端末１３がＮＦＣ通信を開始する。携帯端末１３は、このＮＦＣ通信をトリガとして、ＧＰＳ（Ｇｌｏｂａｌ  Ｐｏｓｉｔｉｏｎｉｎｇ  Ｓｙｓｔｅｍ）を用い、近接させた自己（携帯端末１３）の位置情報を取得する。そして、この位置情報を、操作対象１１の識別情報として、操作対象１１から取得した設定情報と対応付けて記憶部１３２に記憶する。
【００４４】
そして、携帯端末１３を操作対象１１のリモコンとして使用する場合には、図１２に示すように、ユーザが携帯端末１３を、所望の操作対象１１の方向に向ける。ここで、携帯端末１３には、自己の位置情報を取得するＧＰＳ機能と、携帯端末１３の方向を検出するセンサ（３軸センサ、６軸センサ、加速度センサ）が設けられている。携帯端末１３は、ＧＰＳ機能によって検出された現在の携帯端末１３の位置と、センサによって検出された携帯端末１３の向けられた方向に基づいて、ユーザが携帯端末１３を向けた場所を予測し、この予測された場所と、記憶部１３２に記憶された位置情報を照合する。具体的には、ＧＰＳ機能によって検出された現在の携帯端末１３の位置を基準とし、センサによって検出された携帯端末１３の向けられた方向の延長線上に存在する位置情報を検索する。そして、合致度の高い位置情報を識別情報として持つ操作対象１１の設定情報を呼び出す。そして、この設定情報を用いて、操作対象１１の制御を行う。
【００４５】
このように、実施の形態４に係る電子機器制御システムでは、携帯端末１３をリモコンとして使用する場合には、携帯端末１３を操作対象の方向に向けるだけでよいため、携帯端末１３によるリモコン操作を、複雑な操作をすることなく、感覚的に行うことができる。
【００４６】
なお、実施の形態４では、携帯端末１３を操作対象１１のリモコンとして使用する場合には、ユーザが形態端末１３を所望の操作対象１１の方向に向けるとして説明を行ったが、ユーザが携帯端末１３を操作対象１１にタッチしたときの位置情報を、携帯端末１３が取得し、取得した位置情報に対応する位置情報を識別情報として持つ操作対象１１の設定情報を呼び出すよう構成してもよい。この場合、携帯端末１３の方向を検出するセンサが不要となるため、設定情報を呼び出す際の処理を簡易化することができる。
【００４７】
実施の形態５．
次に、本発明の実施の形態５に係る電子機器制御システムについて説明する。図１３は、本発明の実施の形態５に係る電子機器制御システムの記憶部１３２に記憶されるデータの構成を示す図である。実施の形態５では、操作対象１１の識別情報として、識別コード、画像の特徴量、位置情報といった複数の情報を登録することができる。また、操作対象１１毎に設定される設定情報としては、リモコンコードだけでなく、操作対象１１に応じたアプリケーションが対応付けられている。
【００４８】
ユーザが、携帯端末１３をリモコンとして使用する場合には、操作対象１１に対応付けられたアプリケーションを携帯端末１３に起動させる。これにより、ユーザのリモコン操作に関する利便性を向上させることができる。
【００４９】
なお、各操作対象１１は、すべての項目の情報を有している必要はない。例えば、識別コード「１ＡＢ」の操作対象１１では、位置情報が設定されていない。このように、複数の識別情報と設定情報を任意に登録することができる。
【００５０】
なお、本発明は上記実施の形態に限られたものではなく、趣旨を逸脱しない範囲で適宜変更することが可能である。また、上記の実施の形態１乃至４に係る電子機器制御システムは適宜組み合わせて実施することも可能である。
【００５１】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００５２】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５３】
以上、実施の形態を参照して本願発明を説明したが、本願発明は上記によって限定されるものではない。本願発明の構成や詳細には、発明のスコープ内で当業者が理解し得る様々な変更をすることができる。
【００５４】
この出願は、２０１２年６月２６日に出願された日本出願特願２０１２−１４２９１７を基礎とする優先権を主張し、その開示の全てをここに取り込む。
【符号の説明】
【００５５】
１１  操作対象
１３  携帯端末
１１０、１３０  ＮＦＣ通信部
１１１、１３１  中距離無線通信部
１１２、１３２  記憶部
【図１】
2014002323.tif 000003
【図２】
2014002323.tif 000004
【図３】
2014002323.tif 000005
【図４】
2014002323.tif 000006
【図５】
2014002323.tif 000007
【図６】
2014002323.tif 000008
【図７】
2014002323.tif 000009
【図８】
2014002323.tif 000010
【図９】
2014002323.tif 000011
【図１０】
2014002323.tif 000012
【図１１】
2014002323.tif 000013
【図１２】
2014002323.tif 000014
【図１３】
2014002323.tif 000015
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
操作対象に対応付けられた近接無線通信機と近接無線通信を行い、前記操作対象を識別するための識別情報を取得する近接無線通信手段と、
前記近接無線通信手段によって取得される前記識別情報と、前記近接無線通信手段による前記近接無線通信が確立又は開始されると取得される、前記操作対象を操作するための設定情報とを対応付けて記憶する記憶手段と、
前記近接無線通信よりも通信可能距離の長い中距離無線通信により前記操作対象の制御を行う中距離無線通信手段と、を備え、
前記記憶手段に前記識別情報及び前記設定情報が記憶された後、前記近接無線通信手段が前記操作対象を識別するための前記識別情報を取得すると、前記中距離無線通信手段は、取得された前記識別情報に対応付けられた前記記憶手段の前記設定情報を用いて前記操作対象を制御する携帯端末。
【請求項２】
複数の異なる前記操作対象は、それぞれ異なる前記設定情報を用いて制御され、
前記近接無線通信機は、前記操作対象毎に設けられ、
前記携帯端末は、複数の前記操作対象に対応付けられたぞれぞれの前記近接無線通信機と前記近接無線通信を行って、複数の前記操作対象を操作するための前記設定情報を取得して前記識別情報と対応付けて前記記憶手段に記憶し、
前記記憶手段に記憶された複数の前記設定情報を用いて、複数の前記操作対象を制御する、請求項１に記載の携帯端末。
【請求項３】
前記設定情報は、前記識別情報と共に前記近接無線通信手段により取得される、請求項１又は２に記載の携帯端末。
【請求項４】
前記設定情報は、前記近接無線通信手段による前記近接無線通信が確立又は開始されると、前記中距離無線通信手段により、前記操作端末に設けられた前記近接無線中距離無線通信を行う中距離無線通信機から取得される、請求項１又は２に記載の携帯端末。
【請求項５】
広域通信網の基地局と前記中距離無線通信の通信可能距離よりも長い長距離無線通信を行う長距離無線通信手段を更に備え、
長距離無線通信手段は、前記近接無線通信手段によって取得された前記識別情報に基づいて前記設定情報を外部サーバから取得する、請求項１又は２に記載の携帯端末。
【請求項６】
前記近接無線通信機は、前記操作対象に設置され、若しくは、前記操作対象に近接して設置され、
前記近接無線通信手段は、前記近接無線通信機と前記近接無線通信を行った際の前記携帯端末の位置情報を、前記識別情報として取得する、請求項１乃至５のうちいずれか１項に記載の携帯端末。
【請求項７】
前記識別情報は、前記操作対象の外形の特徴量に関する情報を含む、請求項１乃至６のうちいずれか１項に記載の携帯端末。
【請求項８】
前記識別情報は、前記操作対象に固有に設定された識別コードを含む、請求項１乃至７のうちいずれか１項に記載の携帯端末。
【請求項９】
前記設定情報は、前記操作対象毎のユーザインタフェース環境に前記携帯端末を設定するためのアプリケーションを起動する情報を含む、請求項１乃至８のうちいずれか１項に記載の携帯端末。
【請求項１０】
前記設定情報は、前記操作対象のリモコンコードを含む、請求項１乃至９のうちいずれか１項に記載の携帯端末。
【請求項１１】
操作対象に対応付けられた近接無線通信機と、携帯端末とを備えた電子機器制御システムであって、
前記携帯端末は、
操作対象に対応付けられた近接無線通信機と近接無線通信を行い、前記操作対象を識別するための識別情報を取得する近接無線通信手段と、
前記近接無線通信手段によって取得される前記識別情報と、前記近接無線通信手段による前記近接無線通信が確立又は開始されると取得される、前記操作対象を操作するための設定情報とを対応付けて記憶する記憶手段と、
前記記憶手段に前記識別情報及び前記設定情報が記憶された後、前記近接無線通信手段により前記操作対象を識別するための前記識別情報を取得すると、前記記憶手段に記憶された前記識別情報に対応付けられた前記設定情報を用いて、前記近接無線通信よりも通信可能距離の長い中距離無線通信により前記操作対象の制御を行う中距離無線通信手段と、を備える電子機器制御システム。
【請求項１２】
前記近接無線通信機は、前記操作対象の画像が示されたカードに設置されている、請求項１１に記載の電子機器制御システム。
【請求項１３】
携帯端末に、
操作対象に対応付けられた近接無線通信機と近接無線通信を行わせ、前記操作対象を識別するための識別情報を取得させ、
前記近接無線通信によって取得される前記識別情報と、前記近接無線通信手段による前記近接無線通信が確立又は開始されると取得される、前記操作対象を操作するための設定情報とを対応付けて記憶させ、
前記携帯端末が前記近接無線通信により前記操作対象を識別するための前記識別情報を取得すると、前記携帯端末に記憶された前記識別情報に対応付けられた前記設定情報を用いて、前記携帯端末に前記近接無線通信よりも通信可能距離の長い中距離無線通信により前記操作対象の制御を行わせる、電子機器制御方法。
【請求項１４】
複数の異なる前記操作対象は、それぞれ異なる前記設定情報を用いて制御され、
前記近接無線通信機は、前記操作対象毎に設けられ、
前記携帯端末に、複数の前記操作対象に対応付けられたぞれぞれの前記近接無線通信機と前記近接無線通信を行わせて、複数の前記操作対象を操作するための前記設定情報を取得して前記識別情報と対応付けて記憶させ、
前記携帯端末に記憶された複数の前記設定情報を用いて、複数の前記操作対象を制御する、請求項１３に記載の電子機器制御方法。
【請求項１５】
前記設定情報は、前記識別情報と共に前記近接無線通信により取得される、請求項１３又は１４に記載の電子機器制御方法。
【請求項１６】
前記設定情報は、前記近接無線通信が確立又は開始されると、前記操作端末に設けられた前記中距離無線通信を行う中距離無線通信機から前記中距離無線通信により取得される、請求項１３又は１４に記載の電子機器制御方法。
【請求項１７】
携帯端末に、前記近接無線通信によって取得された前記識別情報に基づいて、前記設定情報を、前記中距離無線通信よりも通信可能距離の長い長距離無線通信によって外部サーバから取得させる、請求項１３又は１４に記載の電子機器制御方法。
【請求項１８】
前記近接無線通信機は、前記操作対象に設置され、若しくは、前記操作対象に近接して設置され、
前記近接無線通信機と前記近接無線通信を行った際の前記携帯端末の位置情報を、前記識別情報として取得する、請求項１３乃至１７のうちいずれか１項に記載の電子機器制御方法。
【請求項１９】
前記識別情報は、前記操作対象の外形の特徴量に関する情報を含む、請求項１３乃至１８のうちいずれか１項に記載の電子機器制御方法。
【請求項２０】
前記識別情報は、前記操作対象に固有に設定された識別コードを含む、請求項１３乃至１９のうちいずれか１項に記載の電子機器制御方法。
【請求項２１】
前記設定情報は、前記操作対象毎のユーザインタフェース環境に前記携帯端末を設定するためのアプリケーションを起動する情報を含む、請求項１３乃至２０のうちいずれか１項に記載の電子機器制御方法。
【請求項２２】
前記設定情報は、前記操作対象のリモコンコードを含む、請求項１３乃至２１のうちいずれか１項に記載の電子機器制御方法。
【請求項２３】
携帯端末のコンピュータに、
操作対象に対応付けられた近接無線通信機と近接無線通信を行わせ、前記操作対象を識別するための識別情報を取得させ、
前記近接無線通信によって取得される前記識別情報と、前記近接無線通信が確立又は開始されると取得される、前記操作対象を操作するための設定情報とを対応付けて記憶させ、
前記携帯端末が前記近接無線通信により前記操作対象を識別するための前記識別情報を取得すると、前記携帯端末に記憶された前記識別情報に対応付けられた前記設定情報を用いて、前記携帯端末に前記近接無線通信よりも通信可能距離の長い中距離無線通信により前記操作対象の制御を行わせる処理を実行させるためのプログラム。
【手続補正２】
【補正対象書類名】明細書
【補正対象項目名】００３３
【補正方法】変更
【補正の内容】
【００３３】
次に、設定情報の登録後に、図７に示すように、ユーザが操作対象１１であるテレビに携帯端末１３を近接させる。これにより、携帯端末１３と操作対象１１がＮＦＣ通信を開始する。操作対象１１から、携帯端末１３に対し、識別情報と設定情報がＮＦＣ通信により送信される（図４のステップＳ１）。識別情報を受信した携帯端末１３は、記憶部１３２から識別情報に対応付けられた設定情報を呼び出す（図４のステップＳ３）。そして、その設定情報を用いて、中距離無線通信により操作対象１１の操作を行う（図４のステップＳ４）。なお、操作対象１１の設定情報としては、リモコンコード以外に、操作対象１１に応じた携帯端末１３のアプリケーションを起動する情報を含めることができる。例えば、図５のように、操作対象１１がテレビである場合には、設定情報としてチャンネルを選択する画面を表示するアプリケーションを呼び出す情報を記憶させておけば、図７に示すように、設定情報を呼び出す際にチャンネルを選択する画面を携帯端末１３に表示させることができる。
【国際調査報告】
2014002323.tif 000016
2014002323.tif 000017
2014002323.tif 000018
2014002323.tif 000019